(57)【要約】【課題】  通常時は鍵をかけて内部の保全を図っているような施設等に緊急に人が立ち入る必要が生じたような場合に、鍵を受け取るための手間や時間を省くとともに、保安性の高い鍵開錠管理システムをより安価に構成する。【解決手段】  ダイヤル形式の電子錠２で施錠し、鍵管理サーバ８によって開錠のための数字等の組み合わせを一定期間ごとに変更して、これを通信部１０から電子錠２に向けて送信し、電子錠２の認証番号等登録域６に格納する。鍵を開ける場合には、携帯情報端末１１により鍵管理サーバ８のＵＲＬに接続し、本人のＩＤ番号とパスワードを入力した後、それらが確認されると、所定の手順を経た後、認証番号等が本人に通知されるようにし、鍵の番号等入力部３から入力される入力データと、認証番号等登録域６に格納される認証番号等が一致すると、鍵の制御部７によって開錠されるようにする。【選択図】      図１
2010174478.tif 000002
【特許請求の範囲】
【請求項１】
複数の数字等の文字の組み合わせからなるダイヤル形式の鍵の所定の文字の組み合わせにより電気的に開錠されるような鍵の開錠を管理する鍵開錠管理システムであって、開錠のための文字の組み合わせを一定期間ごとに変更する鍵管理サーバと、この鍵管理サーバから通知された変更データを鍵に向けて通信する通信部と、通信された文字の組み合わせを受領して認証番号等として格納可能な鍵の認証番号等登録域と、鍵の番号等入力部に入力された入力データと認証番号等とを照合して開錠のための制御を行う鍵の制御部を備え、鍵を開ける場合には、携帯情報端末により前記鍵管理サーバのＵＲＬに接続し、本人のＩＤ番号とパスワードを入力した後、それらが確認されると、所定の手順を経た後、認証番号等が本人に通知されるようにしたことを特徴とする鍵開錠管理システム。
【請求項２】
前記本人のＩＤ番号とパスワードが確認された後の所定の手順は、認証番号等が記載されるＵＲＬを表記したメールが通知され、このＵＲＬに接続することにより、認証番号等を確認できるようにされることを特徴とする請求項１に記載の鍵開錠管理システム。
【請求項３】
前記鍵管理サーバによる文字の組み合わせの変更は、乱数表にて自動的に行われることを特徴とする請求項１又は請求項２に記載の鍵開錠管理システム。
【発明の詳細な説明】
【技術分野】
【０００１】
本発明は、通常時は鍵をかけて保全しているような施設等に、不測事態対処等の目的で急に立ち入る必要が生じたような場合に特に効果的な鍵開錠管理システムに関する。
【背景技術】
【０００２】
従来、例えばドアの外側に鍵穴を設けず、リモコンキーによる遠隔制御により開錠できるようにした施錠装置において、複数の数字列からなる暗証番号の照合によって施錠を解くことができるようにするとともに、リモコンキーを使用するごとに、その暗証番号が変化するようにするにした遠隔制御式施錠装置が知られている。（例えば、特許文献１参照。）
【特許文献１】実用新案登録第３１０４５１１号広報
【０００３】
また、サッシ窓の防犯効果を高めるため、錠前部に簡単なカバーを取り付け、このカバーに自転車等の防犯に使用されるダイヤル式ワイヤーをかけるようにしたサッシ防犯錠前も知られている。（例えば、特許文献２参照。）
【特許文献２】特開平６−５８０２６号広報
【発明の開示】
【発明が解決しようとする課題】
【０００４】
ところで、通常時は鍵をかけて内部を保全しているような建物内の電気施設や通信施設等においては、定期的に点検や修理を行うことが多く、この際、予め予定が決まった定期的な点検等においては、決まった箇所に決まった整備員等を派遣して点検等を行えばよいが、突発的な事態等に対処するため、緊急に一番現場近くにいる人を臨時に派遣して整備等を行うような場合、鍵を開けるために無駄な時間や手間をかけることは好ましくない。
この場合、特許文献１のようにリモコンキー等を用いて遠隔操作する場合には、リモコンキーがなくては開錠できないため、迅速に行動することができず、特許文献２のように、ダイヤル式ワイヤーを用いる場合には、ダイヤルの組合せ番号等が知られてしまうと、誰でも自由に施設内等に立ち入りができるようになり、保全性の面からもあまり好ましいものではない。
【０００５】
そこで本発明は、例えば、通常時は鍵をかけて内部の保全を図っているような施設等に、急に人が立ち入る必要が生じたような場合に、鍵を受け取るための時間や手間を省き、しかも通常時は保安性の高い鍵開錠管理システムをより安価に構成することを目的とする。
【課題を解決するための手段】
【０００６】
上記目的を達成するため本発明は、複数の数字等の文字の組み合わせからなるダイヤル形式の鍵の所定の文字の組み合わせにより電気的に開錠されるような鍵の開錠を管理する鍵開錠管理システムを構成し、開錠のための文字の組み合わせを一定期間ごとに変更する鍵管理サーバと、この鍵管理サーバから通知された変更データを鍵に向けて通信する通信部と、通信された文字の組み合わせを受領して認証番号等として格納可能な鍵の認証番号等登録域と、鍵の番号等入力部に入力された入力データと認証番号等とを照合して開錠のための制御を行う鍵の制御部を設け、鍵を開ける場合には、携帯情報端末により前記鍵管理サーバのＵＲＬに接続し、本人のＩＤ番号とパスワードを入力した後、それらが確認されると、所定の手順を経た後、認証番号等が本人に通知されるようにした。
【０００７】
そして、施設等に立ち入る可能性のある人は、予め鍵管理サーバに登録して、本人のＩＤ番号やパスワードを受領しておき、施設等への立ち入りを命じられた場合等には、携帯情報端末を利用してＩＤ番号やパスワードを入力して当該箇所の鍵の認証番号等を入手し、現場に赴いて鍵の番号等入力部にその認証番号等を入力する。この際、鍵の文字の組み合わせは、例えば日毎、または週毎、または月毎、または任意の期間置き等に変更されるので、施錠時のセキュリティ保持が厳格である。また、ダイヤル式の鍵にすれば、鍵を受け取りに行くような手間や時間が省ける。
ここで、文字の組み合わせからなる認証番号等とは、番号の組み合わせ以外にアルファベットやその他の記号等の組み合わせでもよい。
【０００８】
また本発明では、本人のＩＤ番号とパスワードが確認された後の所定の手順として、認証番号等が記載されるＵＲＬを表記したメールが通知されるようにし、このＵＲＬに接続することにより、認証番号等を確認できるようにした。
このような手順を採用することで、セキュリティ保持が一層確実となる。
【０００９】
また、本発明では、前記鍵管理サーバによる文字の組み合わせの変更は、乱数表にて自動的に行われるようにした。
このように乱数表を使用して自動的に行われるようにすれば、判読困難な組み合わせを無人で管理することができ、省人化が図れる。
【発明の効果】
【００１０】
複数の文字の組み合わせからなる鍵を開錠するための認証番号を一定期間ごとに変更し、この認証番号を知るための手段として、携帯情報端末を使用して、その人のＩＤ番号とパスワードを入力させて照合して認証番号等を通知することで、施錠時のセキュリティ保持が確実になされるとともに、迅速に開錠することが可能となり、特に、予定外に急に立ち入る必要があるような場合の鍵開錠管理システムとして効果的である。また、認証番号等が記載されるＵＲＬを表記したメールを送るようにすることで、セキュリティ性を一層向上させることができ、また文字の組み合わせの変更を、乱数表を使用して自動的に行うようにすれば、省人化が図られて効率的である。
【発明を実施するための最良の形態】
【００１１】
本発明の実施の形態について添付した図面に基づき説明する。
ここで図１は本発明に係る鍵開錠管理システムの構成概要図、図２は鍵の外部構造の概観図、図３は鍵の内部構造の説明図、図４は鍵管理サーバから認証番号を入手する方法の一例を示す説明図である。
【００１２】
本発明に係る鍵開錠管理システムは、例えば、通常時は鍵をかけて内部の保全を図っているような電気設備や通信施設等の設置箇所を点検するような場合に、点検の予定のない箇所に現場に一番近い人を急に立ち入らせたいような場合に好適な装置として構成され、鍵を受け取るために鍵の保管箇所等に立ち寄るような無駄な時間や手間をかけることなく、しかも施錠時は保全性の高い施設管理を図ることができるようにされている。
【００１３】
すなわち、本発明に係る鍵開錠管理システムは、図１に示すように、通常時はドア１に電子錠２をかけて内部への立ち入りを制限するとともに、突発的な事態が発生して、予定になかった整備員等が急に立ち入る必要が生じた場合には、迅速にドア１の電子錠２を開けることができるようにされ、この電子錠２は、複数の数字等の文字を組み合わせて開錠するダイヤル式の電子錠２とされている。そこで、まず電子錠２の概要について説明する。
【００１４】
図２に示しように、電子錠２の外部には、番号等を入力するテンキー式の番号等入力部３や、入力した番号等が表示される番号等表示部４などが設けられており、鍵を開けようとする場合、認証番号等に合わせて番号等入力部３の番号等を操作すれば、その操作に合わせて番号等表示部４で表示されるようになっている。そして、この番号等表示部４の表示と、認証番号等が一致すると、電気的に開錠するようにされている。
【００１５】
電子錠２の内部には、図３に示すように外部からの無線信号を受信する無線回路（携帯通信回路）５や、認証番号等を格納可能な認証番号等登録域６や、前記番号等入力部３で入力された認証番号等と格納された認証番号等を比較して鍵の開錠を制御する制御部７などが設けられている。
【００１６】
そして、鍵開錠管理システムは、図１に示すように、電子錠２を開錠するための文字の組み合わせを一定期間ごとに変更する鍵管理サーバ８と、この鍵管理サーバ８から送られる変更データを電子錠２の無線回路（携帯通信回路）５に向けて発信する通信部１０を備えており、施設内等に立ち入ろうとする人は携帯情報端末１１を持参している。そして、鍵管理サーバ８は、例えば日毎、週毎、月毎、年毎、または任意の期間に乱数表で自動的に組み合わせを変更できるようにされており、この変更データを通信部１０に送付する。
【００１７】
通信部１０は、変更されたデータを電子錠２の無線回路（携帯通信回路）５に発信し、変更データは認証番号等登録域６に格納される。
【００１８】
次に、施設内等への立ち入りを急に指示された人が、電子錠２を開けるために当該電子錠２の認証番号等を入手する方法の一例を図４に基づき説明する。
なお、この立ち入りを指示された人は、予めシステムに登録して本人のＩＤ番号とパスワードを受領している人である。
【００１９】
この人は、図４に示すように、鍵管理サーバ８のＵＲＬに携帯情報端末１１から接続し、ホームページメニューから鍵番号情報取得を選択する。すると、確認用メールアドレスが表示されるため、そのメールアドレスで認証用のＩＤ番号とパスワードを記入してメールする。
【００２０】
すると、鍵管理サーバ８から現在使用されている認証番号等が表示されたＵＲＬを明記したメールが送られてくる。
このため、このメールに明記されるＵＲＬに接続し、認証番号等を確認し、この認証番号等を電子錠２の番号等入力部３に入力すれば、電子錠２を開くことができる。なお、本実施例では、認証番号等が明記されるＵＲＬは一回限りのＵＲＬとしている。
【００２１】
以上のような要領により、例えば、予め予定にはない設備を緊急に点検等するような必要が生じた場合でも、鍵を受け取るために鍵の保管箇所等に立ち寄るような無駄な時間や手間をかけることなく、緊急に駆けつけることができ、しかもセキュリティ機能を高めることができ、さらに、安価に構成できるという効果を奏する。
【００２２】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、携帯情報端末の種類等は任意である。
【産業上の利用可能性】
【００２３】
通常時は鍵をかけて施設内等への立ち入りを禁止しているような箇所に、許可を受けた人が緊急に立ち入る必要が生じるような場合の鍵開錠管理システムとして、安価に構成できるとともに、高いセキュリティ機能が発揮されるため、例えば、電気設備や、通信施設や、無線設備等における管理システムとして広い利用が期待される。
【図面の簡単な説明】
【００２４】
【図１】本発明に係る鍵開錠管理システムの構成概要図
【図２】鍵の外部構造の概観図
【図３】鍵の内部構造の説明図
【図４】鍵管理サーバから認証番号を入手する方法の一例を示す説明図
【符号の説明】
【００２５】
２…電子錠、３…番号等入力部、４…番号等表示部、５…無線回路（携帯通信回路）、６…認証番号等登録域、７…制御部、８…鍵管理サーバ、１０…通信部、１１…携帯情報端末。
【図１】
2010174478.tif 000003
【図２】
2010174478.tif 000004
【図３】
2010174478.tif 000005
【図４】
2010174478.tif 000006